(57)【特許請求の範囲】
【請求項１】
無線通信システムにおいて基地局がセルタイプ情報を送信する方法であって、
公用（Ｐｕｂｌｉｃ）ＡＢＳ（Ａｄｖａｎｃｅｄ  Ｂａｓｅ  Ｓｔａｔｉｏｎ）のセル識別子と、専用（Ｐｒｉｖａｔｅ）ＡＢＳのセル識別子（Ｃｅｌｌ  Ｉｄｅｎｔｉｔｙ）との境界点情報（Ｚ）を、Ｓ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を通じて放送する段階を含み、
前記境界点情報（Ｚ）は、
セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、
前記セル識別子区画の範囲情報は、
全てのセル識別子が専用ＡＢＳのためのセル識別子であるという情報、またはマクロＡＢＳを除外した全てのセル識別子が公用ＡＢＳのためのセル識別子であるという情報を含む、セルタイプ情報送信方法。
【請求項２】
前記専用ＡＢＳは、
ＣＳＧ（ｃｌｏｓｅｄ  Ｓｕｂｓｃｒｉｂｅｒ  Ｇｒｏｕｐ）フェムトＡＢＳである、請求項１に記載のセルタイプ情報送信方法。
【請求項３】
前記境界点情報（Ｚ）は、
セグメント当たりマクロＡＢＳのためのセル識別子８６個を含む、請求項１に記載のセルタイプ情報送信方法。
【請求項４】
前記境界点情報（Ｚ）は、
２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する、請求項３に記載のセルタイプ情報送信方法。
【請求項５】
前記セグメントＩＤは、
０乃至２の整数である、請求項４に記載のセルタイプ情報送信方法。
【請求項６】
前記境界点情報（Ｚ）の大きさは、
４ビットである、請求項１に記載のセルタイプ情報送信方法。
【請求項７】
前記境界点情報（Ｚ）は、
前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて放送される、請求項１に記載のセルタイプ情報送信方法。
【請求項８】
前記公用ＡＢＳは、
マクロＡＢＳ、マクロホット−ゾーン（Ｈｏｔ−ｚｏｎｅ）ＡＢＳ、リレーＡＢＳ及びＯＳＧ（Ｏｐｅｎ  Ｓｕｂｓｃｒｉｂｅｒ  Ｇｒｏｕｐ）フェムトＡＢＳを含む、請求項１に記載のセルタイプ情報送信方法。
【請求項９】
前記専用ＡＢＳは、
ＣＳＧ−ｃｌｏｓｅ  ＡＢＳとＣＳＧ−ｏｐｅｎ  ＡＢＳを含む、請求項１に記載のセルタイプ情報送信方法。
【請求項１０】
公用（Ｐｕｂｌｉｃ）ＡＢＳ（Ａｄｖａｎｃｅｄ  Ｂａｓｅ  Ｓｔａｔｉｏｎ）のセル識別子と専用（Ｐｒｉｖａｔｅ）ＡＢＳのセル識別子（Ｃｅｌｌ  Ｉｄｅｎｔｉｔｙ）との境界点情報（Ｚ）を設定するプロセッサと、
前記境界点情報（Ｚ）をＳ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を通じて放送する送信モジュールと、を含み、
前記境界点情報（Ｚ）は、
セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、
前記セル識別子区画の範囲情報は、
全てのセル識別子が専用ＡＢＳのためのセル識別子であるという情報、またはマクロＡＢＳを除外した全てのセル識別子が公用ＡＢＳのためのセル識別子であるという情報を含む、基地局装置。
【請求項１１】
前記専用ＡＢＳは、
ＣＳＧ（ｃｌｏｓｅｄ  Ｓｕｂｓｃｒｉｂｅｒ  Ｇｒｏｕｐ）フェムトＡＢＳである、請求項１０に記載の基地局装置。
【請求項１２】
前記境界点情報（Ｚ）は、
セグメント当たりマクロＡＢＳのためのセル識別子８６個を含む、請求項１０に記載の基地局装置。
【請求項１３】
前記境界点情報（Ｚ）は、
２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する、請求項１２に記載の基地局装置。
【請求項１４】
前記セグメントＩＤは、
０乃至２の整数である、請求項１３に記載の基地局装置。
【請求項１５】
前記境界点情報（Ｚ）の大きさは、
４ビットである、請求項１０に記載の基地局装置。
【請求項１６】
前記境界点情報（Ｚ）は、
前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて放送される、請求項１０に記載の基地局装置。
【請求項１７】
前記公用ＡＢＳは、
マクロＡＢＳ、マクロホット−ゾーン（Ｈｏｔ−ｚｏｎｅ）ＡＢＳ、リレーＡＢＳ及びＯＳＧ（Ｏｐｅｎ  Ｓｕｂｓｃｒｉｂｅｒ  Ｇｒｏｕｐ）フェムトＡＢＳを含む、請求項１０に記載の基地局装置。
【請求項１８】
前記専用ＡＢＳは、
ＣＳＧ−ｃｌｏｓｅ  ＡＢＳとＣＳＧ−ｏｐｅｎ  ＡＢＳを含む、請求項１０に記載の基地局装置。
【請求項１９】
無線通信システムにおいて端末がセルタイプ情報を受信する方法であって、
基地局からＳ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を受信する段階と、
前記Ｓ−ＳＦＨ  ＳＰ３から公用（Ｐｕｂｌｉｃ）ＡＢＳ（Ａｄｖａｎｃｅｄ  Ｂａｓｅ  Ｓｔａｔｉｏｎ）のセル識別子と専用（Ｐｒｉｖａｔｅ）ＡＢＳのセル識別子（Ｃｅｌｌ  Ｉｄｅｎｔｉｔｙ）との境界点情報（Ｚ）を獲得する段階と、を含み、
前記境界点情報（Ｚ）は、
セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、
前記セル識別子区画の範囲情報は、
全てのセル識別子が専用ＡＢＳのためのセル識別子であるという情報、またはマクロＡＢＳを除外した全てのセル識別子が公用ＡＢＳのためのセル識別子であるという情報を含む、セルタイプ情報受信方法。
【請求項２０】
前記専用ＡＢＳは、
ＣＳＧ（ｃｌｏｓｅｄ  Ｓｕｂｓｃｒｉｂｅｒ  Ｇｒｏｕｐ）フェムトＡＢＳである、請求項１９に記載のセルタイプ情報受信方法。
【請求項２１】
前記境界点情報（Ｚ）は、
セグメント当たりマクロＡＢＳのためのセル識別子８６個を含む、請求項１９に記載のセルタイプ情報受信方法。
【請求項２２】
前記境界点情報（Ｚ）は、
２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する、請求項２１に記載のセルタイプ情報受信方法。
【請求項２３】
前記セグメントＩＤは、
０乃至２の整数である、請求項２１に記載のセルタイプ情報受信方法。
【請求項２４】
前記境界点情報（Ｚ）の大きさは、
４ビットである、請求項１９に記載のセルタイプ情報受信方法。
【請求項２５】
前記境界点情報（Ｚ）は、
前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて受信される、請求項１９に記載のセルタイプ情報受信方法。
【請求項２６】
前記公用ＡＢＳは、
マクロＡＢＳ、マクロホット−ゾーン（Ｈｏｔ−ｚｏｎｅ）ＡＢＳ、リレーＡＢＳ及びＯＳＧ（Ｏｐｅｎ  Ｓｕｂｓｃｒｉｂｅｒ  Ｇｒｏｕｐ）フェムトＡＢＳを含む、請求項１９に記載のセルタイプ情報受信方法。
【請求項２７】
前記専用ＡＢＳは、
ＣＳＧ−ｃｌｏｓｅ  ＡＢＳとＣＳＧ−ｏｐｅｎ  ＡＢＳを含む、請求項１９に記載のセルタイプ情報受信方法。
【請求項２８】
Ｓ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を受信する受信モジュールと、
前記Ｓ−ＳＦＨ  ＳＰ３から公用（Ｐｕｂｌｉｃ）ＡＢＳ（Ａｄｖａｎｃｅｄ  Ｂａｓｅ  Ｓｔａｔｉｏｎ）のセル識別子と専用（Ｐｒｉｖａｔｅ）ＡＢＳのセル識別子（Ｃｅｌｌ  Ｉｄｅｎｔｉｔｙ）との境界点情報（Ｚ）を獲得するプロセッサと、を含み、
前記境界点情報（Ｚ）は、
セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、
前記セル識別子区画の範囲情報は、
全てのセル識別子が専用ＡＢＳのためのセル識別子であるという情報、またはマクロＡＢＳを除外した全てのセル識別子が公用ＡＢＳのためのセル識別子であるという情報を含む、端末装置。
【請求項２９】
前記専用ＡＢＳは、
ＣＳＧ（ｃｌｏｓｅｄ  Ｓｕｂｓｃｒｉｂｅｒ  Ｇｒｏｕｐ）フェムトＡＢＳである、請求項２８に記載の端末装置。
【請求項３０】
前記境界点情報（Ｚ）は、
セグメント当たりマクロＡＢＳのためのセル識別子８６個を含む、請求項２８に記載の端末装置。
【請求項３１】
前記境界点情報（Ｚ）は、
２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する、請求項３０に記載の端末装置。
【請求項３２】
前記セグメントＩＤは、
０乃至２の整数である、請求項３１に記載の端末装置。
【請求項３３】
前記境界点情報（Ｚ）の大きさは、
４ビットである、請求項２８に記載の端末装置。
【請求項３４】
前記境界点情報（Ｚ）は、
前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて受信される、請求項２８に記載の端末装置。
【請求項３５】
前記公用ＡＢＳは、
マクロＡＢＳ、マクロホット−ゾーン（Ｈｏｔ−ｚｏｎｅ）ＡＢＳ、リレーＡＢＳ及びＯＳＧ（Ｏｐｅｎ  Ｓｕｂｓｃｒｉｂｅｒ  Ｇｒｏｕｐ）フェムトＡＢＳを含む、請求項２８に記載の端末装置。
【請求項３６】
前記専用ＡＢＳは、
ＣＳＧ−ｃｌｏｓｅ  ＡＢＳとＣＳＧ−ｏｐｅｎ  ＡＢＳを含む、請求項２８に記載の端末装置。
【発明の詳細な説明】
【技術分野】
【０００１】
本発明は、無線通信システムに係り、具体的に、無線通信システムにおいてセルタイプによってセル識別子を区画化する方法及びそのための装置に関するものである。
【背景技術】
【０００２】
図１は、無線通信システムを例示する。図１を参照すると、無線通信システム１００は、複数の基地局１１０及び複数の端末１２０を含む。無線通信システム１００は、同種ネットワーク（ｈｏｍｏｇｅｎｅｏｕｓ  ｎｅｔｗｏｒｋ）または異種ネットワーク（ｈｅｔｅｒｏｇｅｎｅｏｕｓ  ｎｅｔｗｏｒｋ）を含むことができる。ここで、異種ネットワークとは、マクロセル、フェムトセル、ピコセル、中継器などのように互いに異なるネットワークエンティティが相互共存するネットワークを称する。基地局は、一般に、端末と通信する固定局であり、各基地局１１０ａ、１１０ｂ及び１１０ｃは、特定の地理的領域１０２ａ、１０２ｂ及び１０２ｃにサービスを提供する。システム性能を改善するために、前記特定領域は複数のより小さい領域１０４ａ、１０４ｂ及び１０４ｃに分割されることができる。それぞれのより小さい領域は、セル、セクターまたはセグメントと称される。ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１６システムの場合、セル識別子（Ｃｅｌｌ  Ｉｄｅｎｔｉｔｙ）は全体システムを基準に付与される。一方、セクターまたはセグメント識別子は、それぞれの基地局がサービスを提供する特定領域を基準として付与され、０乃至２の値を有する。端末１２０は、一般に無線通信システムに分布し、固定または移動することができる。各端末は、任意の瞬間にアップリンク及びダウンリンクを通じて一つ以上の基地局と通信することができる。基地局と端末は、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ−ＦＤＭＡ）、ＭＣ−ＦＤＭＡ（Ｍｕｌｔｉ  Ｃａｒｒｉｅｒ−ＦＤＭＡ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）またはこれらの組み合わせを用いて通信を行うことができる。本明細書で、アップリンクは端末から基地局への通信リンクを称し、ダウンリンクは基地局から端末への通信リンクを称する。
【発明の概要】
【発明が解決しようとする課題】
【０００３】
本発明は、無線通信システムにおいてセルタイプによってセル識別子を区画化する方法及びそのための装置を提供するためのものである。
【０００４】
本発明で達成しようとする技術的課題は、以上で言及した技術的課題に制限されず、言及していない他の技術的課題は、下記の記載から、本発明の属する技術分野における通常の知識を有する者に明確に理解されるだろう。
【課題を解決するための手段】
【０００５】
本発明の一様相である、無線通信システムにおいて基地局がセルタイプ情報を送信する方法は、公用（Ｐｕｂｌｉｃ）ＡＢＳ（Ａｄｖａｎｃｅｄ  Ｂａｓｅ  Ｓｔａｔｉｏｎ）のセル識別子と、専用（Ｐｒｉｖａｔｅ）ＡＢＳのセル識別子（Ｃｅｌｌ  Ｉｄｅｎｔｉｔｙ）との境界点情報（Ｚ）を、Ｓ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を通じて放送する段階を含み、前記境界点情報（Ｚ）は、セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、前記セル識別子区画の範囲情報は、全てのセル識別子が専用ＡＢＳのためのセル識別子であるという情報、またはマクロＡＢＳを除外した全てのセル識別子が公用ＡＢＳのためのセル識別子であるという情報を含むことを特徴とする。望ましくは、前記専用ＡＢＳは、ＣＳＧ（ｃｌｏｓｅｄ  Ｓｕｂｓｃｒｉｂｅｒ  Ｇｒｏｕｐ）フェムトＡＢＳであることを特徴とする。
【０００６】
前記境界点情報（Ｚ）は、セグメント当たりマクロＡＢＳのためのセル識別子８６個を含み、２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する。ここで、前記セグメントＩＤは、０乃至２の整数であることが望ましい。
【０００７】
前記境界点情報（Ｚ）の大きさは４ビットであり、前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて放送される。
【０００８】
また、前記公用ＡＢＳは、マクロＡＢＳ、マクロホット−ゾーン（Ｈｏｔ−ｚｏｎｅ）ＡＢＳ、リレーＡＢＳ及びＯＳＧ（Ｏｐｅｎ  Ｓｕｂｓｃｒｉｂｅｒ  Ｇｒｏｕｐ）フェムトＡＢＳを含み、前記専用ＡＢＳは、ＣＳＧ−ｃｌｏｓｅ  ＡＢＳとＣＳＧ−ｏｐｅｎ  ＡＢＳを含む。
【０００９】
本発明の他の様相である、基地局装置は、公用（Ｐｕｂｌｉｃ）ＡＢＳ（Ａｄｖａｎｃｅｄ  Ｂａｓｅ  Ｓｔａｔｉｏｎ）のセル識別子と専用（Ｐｒｉｖａｔｅ）ＡＢＳのセル識別子（Ｃｅｌｌ  Ｉｄｅｎｔｉｔｙ）との境界点情報（Ｚ）を設定するプロセッサと、前記境界点情報（Ｚ）をＳ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を通じて放送する送信モジュールと、を含み、前記境界点情報（Ｚ）は、セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、前記セル識別子区画の範囲情報は、全てのセル識別子が専用ＡＢＳのためのセル識別子であるという情報、またはマクロＡＢＳを除外した全てのセル識別子が公用ＡＢＳのためのセル識別子であるという情報を含むことを特徴とする。望ましくは、前記専用ＡＢＳは、ＣＳＧ（ｃｌｏｓｅｄ  Ｓｕｂｓｃｒｉｂｅｒ  Ｇｒｏｕｐ）フェムトＡＢＳであることを特徴とする。
【００１０】
前記境界点情報（Ｚ）は、セグメント当たりマクロＡＢＳのためのセル識別子８６個を含み、２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する。ここで、前記セグメントＩＤは、０乃至２の整数であることが望ましい。
【００１１】
前記境界点情報（Ｚ）の大きさは４ビットであり、前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて放送される。
【００１２】
本発明のまた他の様相である、無線通信システムにおいて端末がセルタイプ情報を受信する方法は、基地局からＳ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を受信する段階と、前記Ｓ−ＳＦＨ  ＳＰ３から公用（Ｐｕｂｌｉｃ）ＡＢＳ（Ａｄｖａｎｃｅｄ  Ｂａｓｅ  Ｓｔａｔｉｏｎ）のセル識別子と専用（Ｐｒｉｖａｔｅ）ＡＢＳのセル識別子（Ｃｅｌｌ  Ｉｄｅｎｔｉｔｙ）との境界点情報（Ｚ）を獲得する段階と、を含み、前記境界点情報（Ｚ）は、セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、前記セル識別子区画の範囲情報は、全てのセル識別子が専用ＡＢＳのためのセル識別子であるという情報、またはマクロＡＢＳを除外した全てのセル識別子が公用ＡＢＳのためのセル識別子であるという情報を含むことを特徴とする。望ましくは、前記専用ＡＢＳは、ＣＳＧ（ｃｌｏｓｅｄ  Ｓｕｂｓｃｒｉｂｅｒ  Ｇｒｏｕｐ）フェムトＡＢＳであることを特徴とする。
【００１３】
前記境界点情報（Ｚ）は、セグメント当たりマクロＡＢＳのためのセル識別子８６個を含み、２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する。ここで、前記セグメントＩＤは、０乃至２の整数であることが望ましい。
【００１４】
前記境界点情報（Ｚ）の大きさは４ビットであり、前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて受信される。
【００１５】
また、前記公用ＡＢＳは、マクロＡＢＳ、マクロホット−ゾーン（Ｈｏｔ−ｚｏｎｅ）ＡＢＳ、リレーＡＢＳ及びＯＳＧ（Ｏｐｅｎ  Ｓｕｂｓｃｒｉｂｅｒ  Ｇｒｏｕｐ）フェムトＡＢＳを含み、前記専用ＡＢＳは、ＣＳＧ−ｃｌｏｓｅ  ＡＢＳとＣＳＧ−ｏｐｅｎ  ＡＢＳを含む。
【００１６】
本発明のまた他の様相である、無線通信システムにおける端末装置は、Ｓ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）を受信する受信モジュールと、前記Ｓ−ＳＦＨ  ＳＰ３から公用（Ｐｕｂｌｉｃ）ＡＢＳ（Ａｄｖａｎｃｅｄ  Ｂａｓｅ  Ｓｔａｔｉｏｎ）のセル識別子と専用（Ｐｒｉｖａｔｅ）ＡＢＳのセル識別子（Ｃｅｌｌ  Ｉｄｅｎｔｉｔｙ）との境界点情報（Ｚ）を獲得するプロセッサと、を含み、前記境界点情報（Ｚ）は、セグメント当たり１０個または２０個のシーケンスグラニュラリティ（ｇｒａｎｕｌａｒｉｔｙ）で区画化（ｐａｒｔｉｔｉｏｎｉｎｇ）された総１６個のセル識別子区画の範囲情報であり、前記セル識別子区画の範囲情報は、全てのセル識別子が専用ＡＢＳのためのセル識別子であるという情報、またはマクロＡＢＳを除外した全てのセル識別子が公用ＡＢＳのためのセル識別子であるという情報を含むことを特徴とする。望ましくは、前記専用ＡＢＳは、ＣＳＧ（ｃｌｏｓｅｄ  Ｓｕｂｓｃｒｉｂｅｒ  Ｇｒｏｕｐ）フェムトＡＢＳであることを特徴とする。
【００１７】
前記境界点情報（Ｚ）は、セグメント当たりマクロＡＢＳのためのセル識別子８６個を含み、２５６＊セグメントＩＤから８５＋２５６＊セグメントＩＤまでは、公用ＡＢＳのうちマクロＡＢＳのためのセル識別子で、８６＋２５６＊セグメントＩＤからＺ＋２５６＊セグメントＩＤまでは、マクロＡＢＳを除外した公用ＡＢＳのためのセル識別子で、（Ｚ＋１）＋２５６＊セグメントＩＤから２５５＋２５６＊セグメントＩＤまでは、ＣＳＧフェムトＡＢＳのためのセル識別子であることを指示する。ここで、前記セグメントＩＤは、０乃至２の整数であることが望ましい。
【００１８】
前記境界点情報（Ｚ）の大きさは４ビットであり、前記Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを通じて受信される。
【００１９】
また、前記公用ＡＢＳは、マクロＡＢＳ、マクロホット−ゾーン（Ｈｏｔ−ｚｏｎｅ）ＡＢＳ、リレーＡＢＳ及びＯＳＧ（Ｏｐｅｎ  Ｓｕｂｓｃｒｉｂｅｒ  Ｇｒｏｕｐ）フェムトＡＢＳを含み、前記専用ＡＢＳは、ＣＳＧ−ｃｌｏｓｅ  ＡＢＳとＣＳＧ−ｏｐｅｎ  ＡＢＳを含む。
【発明の効果】
【００２０】
本発明の実施例によれば、ＩＥＥＥ  ８０２．１６ｍ無線通信システムにおいてセル識別子をより效果的に検出することができる。また、セル識別子をセルタイプによって效率的に区画化することができ、端末のオーバーヘッドを減少させることができる。
【００２１】
本発明で得られる効果は、以上に言及した効果に制限されず、言及していない他の効果は、下記の記載から、本発明の属する技術分野における通常の知識を有する者に明確に理解されるだろう。
【図面の簡単な説明】
【００２２】
本発明の理解を助けるために詳細な説明の一部として含まれる添付の図面は、本発明に対する実施例を提供し、詳細な説明と共に本発明の技術的思想を説明する。
【図１】無線通信システムを例示する図である。
【図２】ＯＦＤＭＡ及びＳＣ−ＦＤＭＡのための送信機及び受信機のブロック図である。
【図３】ＩＥＥＥ  ８０２．１６ｍシステムの無線フレーム構造を例示する図である。
【図４】ＩＥＥＥ  ８０２．１６ｍシステムで同期チャネルを伝送する例を示す図である。
【図５】ＩＥＥＥ  ８０２．１６ｍシステムでＰＡ−プリアンブルがマッピングされる副搬送波を示す図である。
【図６】ＩＥＥＥ  ８０２．１６ｍシステムでＳＡ−プリアンブルを周波数領域にマッピングする例を示す図である。
【図７】ＩＥＥＥ  ８０２．１６ｍシステムで５１２−ＦＦＴのための周波数領域におけるＳＡ−プリアンブル構造を示す図である。
【図８】本発明の実施例に係るＳＡ−プリアンブルシーケンス区画化技法を説明するための図である。
【図９】本発明の一実施例に係る送信機及び受信機を示すブロック図である。
【発明を実施するための形態】
【００２３】
添付の図面を参照して説明される本発明の好ましい実施例によって、本発明の構成、作用及び他の特徴が容易に理解されるだろう。以下で説明される実施例は、本発明の技術的特徴が複数の直交副搬送波を使用するシステムに適用された各例である。便宜上、本発明は、ＩＥＥＥ  ８０２．１６システムを用いて説明するが、これは例示に過ぎず、本発明は、３ＧＰＰ（３ｒｄ  Ｇｅｎｅｒａｔｉｏｎ  Ｐａｒｔｎｅｒｓｈｉｐ  Ｐｒｏｊｅｃｔ）システムを含む多様な無線通信システムに適用されることができる。
【００２４】
図２は、ＯＦＤＭＡ及びＳＣ−ＦＤＭＡのための送信機及び受信機のブロック図である。アップリンクにおいて、送信機は端末の一部で、受信機は基地局の一部であってもよい。ダウンリンクにおいて、送信機は基地局の一部で、受信機は端末の一部であってもよい。
【００２５】
図２を参照すると、ＯＦＤＭＡ送信機は、直／並列変換器２０２（Ｓｅｒｉａｌ  ｔｏ  Ｐａｒａｌｌｅｌ  ｃｏｎｖｅｒｔｅｒ）、副搬送波マッピング（ｓｕｂ−ｃａｒｒｉｅｒ  ｍａｐｐｉｎｇ）モジュール２０６、Ｍ−ポイント（ｐｏｉｎｔ）ＩＤＦＴ（Ｉｎｖｅｒｓｅ  Ｄｉｓｃｒｅｔｅ  Ｆｏｕｒｉｅｒ  Ｔｒａｎｓｆｏｒｍ）モジュール２０８、循環前置（Ｃｙｃｌｉｃ  Ｐｒｅｆｉｘ；ＣＰ）付加モジュール２１２、並／直列変換器２１０（Ｐａｒａｌｌｅｌ  ｔｏ  Ｓｅｒｉａｌ  ｃｏｎｖｅｒｔｅｒ）及びＲＦ（Ｒａｄｉｏ  Ｆｒｅｑｕｅｎｃｙ）／ＤＡＣ（Ｄｉｇｉｔａｌ  ｔｏ  Ａｎａｌｏｇ  Ｃｏｎｖｅｒｔｅｒ）モジュール２１４を含む。
【００２６】
ＯＦＤＭＡ送信機での信号処理過程は、次の通りである。まず、ビットストリーム（ｂｉｔ  ｓｔｒｅａｍ）がデータシンボルシーケンスに変調される。ビットストリームは、媒体接続制御（Ｍｅｄｉｕｍ  Ａｃｃｅｓｓ  Ｃｏｎｔｒｏｌ；ＭＡＣ）階層から伝達されたデータブロックに、チャネル符号化（ｃｈａｎｎｅｌ  ｅｎｃｏｄｉｎｇ）、インターリービング（ｉｎｔｅｒｌｅａｖｉｎｇ）、スクランブリング（ｓｃｒａｍｂｌｉｎｇ）などのような多様な信号処理を行うことによって得られる。ビットストリームは、符号語（ｃｏｄｅｗｏｒｄ）とも呼ばれ、ＭＡＣ階層から受けるデータブロックと等値である。ＭＡＣ階層から受けるデータブロックは、伝送ブロックとも呼ばれる。変調方式はこれに制限されるわけではないが、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含むことができる。その後、直列のデータシンボルシーケンスはＮ個ずつ並列に変換される（２０２）。Ｎ個のデータシンボルは、全体Ｍ個の副搬送波のうち割り当てられたＮ個の副搬送波にマッピング（ｍａｐｐｉｎｇ）され、残りのＭ−Ｎ個の搬送波は０でパディングされる（２０６）。周波数領域にマッピングされたデータシンボルは、Ｍ−ポイントＩＤＦＴ処理を通じて時間領域シーケンスに変換される（２０８）。その後、シンボル間干渉と搬送波間干渉を減少させるために、前記時間領域シーケンスに循環前置を加えることによってＯＦＤＭＡシンボルを生成する（２１２）。生成されたＯＦＤＭＡシンボルは、並列から直列に変換される（２１０）。その後、ＯＦＤＭＡシンボルは、デジタル−アナログ変換、周波数アップコンバージョンなどの過程を経て受信機に伝送される（２１４）。他のユーザーには、残りのＭ−Ｎ個の副搬送波のうち使用可能な副搬送波が割り当てられる。一方、ＯＦＤＭＡ受信機は、ＲＦ／ＡＤＣ（Ａｎａｌｏｇ  ｔｏ  Ｄｉｇｉｔａｌ  Ｃｏｎｖｅｒｔｅｒ）モジュール２１６、直／並列変換器２１８、循環前置除去（Ｒｅｍｏｖｅ  ＣＰ）モジュール２２２、Ｍ−ポイントＤＦＴ（Ｄｉｓｃｒｅｔｅ  Ｆｏｕｒｉｅｒ  Ｔｒａｎｓｆｏｒｍ）モジュール２２４、副搬送波デマッピング（ｄｅｍａｐｐｉｎｇ）／等化（ｅｑｕａｌｉｚａｔｉｏｎ）モジュール２２６、並／直列変換器２３０及び検出（ｄｅｔｅｃｔｉｏｎ）モジュールを含む。ＯＦＤＭＡ受信機の信号処理過程は、ＯＦＤＭＡ送信機の逆に構成される。
【００２７】
一方、ＳＣ−ＦＤＭＡ送信機は、ＯＦＤＭＡ送信機と比較すると、副搬送波マッピングモジュール２０６の前にＮ−ポイントＤＦＴモジュール２０４をさらに含む。ＳＣ−ＦＤＭＡ送信機は、ＩＤＦＴ処理前にＤＦＴを通じて複数のデータを周波数領域に拡散させて、送信信号のＰＡＰＲ（Ｐｅａｋ−ｔｏ−Ａｖｅｒａｇｅ  Ｐｏｗｅｒ  Ｒａｔｉｏ）をＯＦＤＭＡ方式に比べて大きく減少させることができる。ＳＣ−ＦＤＭＡ受信機は、ＯＦＤＭＡ受信機と比較すると、副搬送波デマッピングモジュール２２６の後にＮ−ポイントＩＤＦＴモジュール２２８をさらに含む。ＳＣ−ＦＤＭＡ受信機の信号処理過程は、ＳＣ−ＦＤＭＡ送信機の逆に構成される。
【００２８】
図２で例示したモジュールは説明のためのもので、送信機及び／又は受信機は必要なモジュールをさらに含むことができ、一部のモジュール／機能は、省略されたり、互いに異なるモジュールに分離されてもよく、２つ以上のモジュールが一つのモジュールに統合されてもよい。
【００２９】
図３は、ＩＥＥＥ  ８０２．１６ｍシステムの無線フレーム構造を例示する図である。
【００３０】
図３を参照すると、無線フレーム構造は、５ＭＨｚ、８．７５ＭＨｚ、１０ＭＨｚまたは２０ＭＨｚ帯域幅を支援する２０ｍｓスーパーフレーム（ＳＵ０〜ＳＵ３）を含む。スーパーフレームは、同じ大きさを有する４個の５ｍｓフレーム（Ｆ０〜Ｆ３）を含み、スーパーフレームヘッダー（Ｓｕｐｅｒ  Ｆｒａｍｅ  Ｈｅａｄｅｒ；ＳＦＨ）から始まる。スーパーフレームヘッダは、必須システムパラメータ（ｅｓｓｅｎｔｉａｌ  ｓｙｓｔｅｍ  ｐａｒａｍｅｔｅｒ）及びシステム設定情報（ｓｙｓｔｅｍ  ｃｏｎｆｉｇｕｒａｔｉｏｎ  ｉｎｆｏｒｍａｔｉｏｎ）を運ぶ。
【００３１】
フレームは、８個のサブフレーム（ＳＦ０〜ＳＦ７）を含む。サブフレームは、ダウンリンクまたはアップリンク伝送に割り当てられる。サブフレームは、時間領域で複数のＯＦＤＭシンボルを含み、周波数領域で複数の副搬送波（Ｓｕｂｃａｒｒｉｅｒ）を含む。ＯＦＤＭシンボルは、多重接続方式によってＯＦＤＭＡシンボル、ＳＣ―ＦＤＭＡシンボルなどとも呼ばれる。サブフレームに含まれるＯＦＤＭシンボルの数は、チャネル帯域幅、循環前置の長さによって多様に変更可能である。
【００３２】
ＯＦＤＭシンボルは複数の副搬送波を含み、ＦＦＴ（Ｆａｓｔ  Ｆｏｕｒｉｅｒ  Ｔｒａｎｓｆｏｒｍ）の大きさによって副搬送波の個数が決定される。副搬送波の類型は、データ伝送のためのデータ副搬送波、チャネル測定のためのパイロット副搬送波、ガードハンド（ｇｕａｒｄ  ｂａｎｄ）及びＤＣ成分のためのナル（ｎｕｌｌ）副搬送波に分けられる。ＯＦＤＭシンボルを特徴付けるパラメータは、ＢＷ、Ｎｕｓｅｄ、ｎ、Ｇなどである。ＢＷは、名目上のチャネル帯域幅（ｎｏｍｉｎａｌ  ｃｈａｎｎｅｌ  ｂａｎｄｗｉｄｔｈ）である。Ｎｕｓｅｄは、信号伝送に使用される副搬送波の個数である。ｎは、サンプリング因子で、ＢＷ及びＮｕｓｅｄと共に副搬送波スペーシング（ｓｐａｃｉｎｇ）及び有効シンボル時間（ｕｓｅｆｕｌ  ｓｙｍｂｏｌ  ｔｉｍｅ）を決定する。Ｇは、ＣＰ時間と有効時間（ｕｓｅｆｕｌ  ｔｉｍｅ）の割合である。
【００３３】
表１は、ＯＦＤＭＡパラメータの例を示す。
【００３４】
【表１−１】
0005520388.tif 000002
【００３５】
【表１−２】
0005520388.tif 000003
図４は、ＩＥＥＥ  ８０２．１６ｍシステムで同期チャネルを伝送する例を示す図である。本実施例は、ＩＥＥＥ  ８０２．１６ｍ専用モード（ｏｎｌｙ  ｍｏｄｅ）を想定する。
【００３６】
図４を参照すると、ＩＥＥＥ  ８０２．１６ｍシステムにおいて一つのスーパーフレーム（ＳＵ１〜ＳＵ４）には４個の同期チャネル（Ｓｙｎｃｈｒｏｎｉｚａｔｉｏｎ  ＣＨａｎｎｅｌ；ＳＣＨ）が伝送される。ＩＥＥＥ  ８０２．１６ｍシステムにおいて、ダウンリンク同期チャネルは主動期チャネル及び副同期チャネルを含み、それぞれはＰＡ−プリアンブル（Ｐｒｉｍａｒｙ  Ａｄｖａｎｃｅｄ  Ｐｒｅａｍｂｌｅ）とＳＡ−プリアンブル（Ｓｅｃｏｎｄａｒｙ  Ａｄｖａｎｃｅｄ  Ｐｒｅａｍｂｌｅ）で構成される。ＦＤＤモード及びＴＤＤモードにおいてダウンリンク同期チャネルはフレームの最初のＯＦＤＭＡシンボルを通じて伝送されることができる。
【００３７】
ＰＡ−プリアンブルは、通常、システム周波数帯域幅及び搬送波設定情報などのような一部情報を獲得するのに使用される。ＳＡ−プリアンブルは、通常、セル識別子を獲得するのに使用され、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）測定などの用途にも使用されることができる。ＰＡ−プリアンブルは、第１番目のフレーム（ＦＯ）を通じて伝送され、ＳＡ−プリアンブルは、第２番目乃至第４番目のフレーム（ＦＯ１〜ＦＯ３）を通じて伝送されることができる。
【００３８】
図５は、ＩＥＥＥ  ８０２．１６ｍシステムにおいてＰＡ−プリアンブルがマッピングされる副搬送波を示す図である。
【００３９】
図５を参照すると、ＰＡ−プリアンブルの長さは２１６であり、ＦＦＴサイズとは無関係である。ＰＡ−プリアンブルは、２個の副搬送波間隔で挿入され、残りの区間には０が挿入される。一例として、ＰＡ−プリアンブルは、４１，４３，…，４６９及び４７１の副搬送波に挿入されることができる。ＰＡ−プリアンブルは、システム帯域幅情報及び搬送波設定情報などに関する情報を搬送することができる。副搬送波インデックス２５６がＤＣと予約された場合、シーケンスのマッピングされる副搬送波は、数学式１を用いて決定することができる。
【００４０】
【数１】
0005520388.tif 000004
ここで、ｋは、０乃至２１５の整数を表す。
【００４１】
一例として、表２で提示した長さ２１６のＱＰＳＫタイプシーケンスがＰＡ−プリアンブルに使用されることができる。
【００４２】
【表２】
0005520388.tif 000005
図６は、ＩＥＥＥ  ８０２．１６ｍシステムにおいてＳＡ−プリアンブルを周波数領域にマッピングする例を示す図である。
【００４３】
図６を参照すると、ＳＡ−プリアンブルに割り当てられる副搬送波の個数は、ＦＦＴサイズによって可変できる。一例として、ＳＡ−プリアンブルの長さは、５１２−ＦＦＴ、１０２４−ＦＦＴ及び２０４８−ＦＦＴに対してそれぞれ１４４個、２８８個及び５７６個であってもよい。５１２−ＦＦＴ、１０２４−ＦＦＴ及び２０４８−ＦＦＴに対して２５６、５１２及び１０２４番の副搬送波がそれぞれＤＣ成分として予約された場合、ＳＡ−プリアンブルに割り当てられる副搬送波は、数学式２によって決定されることができる。
【００４４】
【数２】
0005520388.tif 000006
ここで、ｎは、ＳＡ−プリアンブルキャリアセットインデックスとして０、１または２の値を有し、セグメントＩＤを表す。ＮＳＡＰは、ＳＡ−プリアンブルに割り当てられる副搬送波の個数を表し、ｋは０乃至ＮＳＡＰ−１の整数を表す。
【００４５】
それぞれのセルは、０乃至７６７の整数で表示されるセル識別子（ＩＤ  Ｃｅｌｌ）を有する。セル識別子は、セグメントインデックスとセグメント別に与えられるインデックスと定義される。一般に、セル識別子は、数学式３によって決定されることができる。
【００４６】
【数３】
0005520388.tif 000007
ここで、ｎは、ＳＡ−プリアンブルキャリアセットインデックスとして０、１または２の値を有し、セグメントＩＤを表す。Ｉｄｘは、０乃至２５５の整数を表し、下記の数学式４によって決定される。
【００４７】
【数４】
0005520388.tif 000008
ここで、ｑは、ＳＡ−プリアンブルシーケンスインデックスとして０乃至２５５の整数である。
【００４８】
５１２−ＦＦＴの場合、２８８ビットのＳＡ−プリアンブルは、８個のサブブロックに分割され（すなわち、Ａ、Ｂ、Ｃ、Ｄ、Ｅ、Ｆ、Ｇ及びＨ）、各サブブロックの長さは３６ビットである。それぞれのセグメントＩＤは、互いに異なるシーケンスサブブロックを有する。
【００４９】
８０２．１６ｍシステムに定義されたＳＡ−プリアンブルの詳細は後述する。５１２−ＦＦＴの場合、Ａ、Ｂ、Ｃ、Ｄ、Ｅ、Ｆ、Ｇ及びＨは順次に変調された後、セグメントＩＤに対応するＳＡ−プリアンブル副搬送波セットにマッピングされる。ＦＦＴサイズが大きくなる場合、基本ブロック（Ａ、Ｂ、Ｃ、Ｄ、Ｅ、Ｆ、Ｇ、Ｈ）は、同一の順序で反復される。一例として、１０２４−ＦＦＴサイズの場合、Ｅ、Ｆ、Ｇ、Ｈ、Ａ、Ｂ、Ｃ、Ｄ、Ｅ、Ｆ、Ｇ、Ｈ、Ａ、Ｂ、Ｃ、Ｄが順次に変調された後、セグメントＩＤに対応するＳＡ−プリアンブル副搬送波セットにマッピングされる。
【００５０】
循環シフト（ｃｉｒｃｕｌａｒ  ｓｈｉｆｔ）は、数学式２による副搬送波マッピングの後に、３個の連続した副搬送波に対して適用されることができる。それぞれのサブブロックは、同じオフセットを有し、それぞれのサブブロックに対する循環シフトパターンは、［２，１，０，…，２，１，０，…，２，１，０，２，１，０，ＤＣ，１，０，２，１，０，２，…，１，０，２，…，１，０，２］のようになる。ここで、シフトは右循環シフトを含む。
【００５１】
図７に５１２−ＦＦＴのための周波数領域におけるＳＡ−プリアンブル構造を例示した。５１２−ＦＦＴサイズの場合、ブロック（Ａ、Ｂ、Ｃ、Ｄ、Ｅ、Ｆ、Ｇ、Ｈ）はそれぞれ、（０、２、１、０、１、０、２、１）の右循環シフトを経験することができる。
【００５２】
表３乃至表５は、それぞれ１２８個のＳＡ−プリアンブルシーケンスを例示する。母シーケンスは、インデックスｑによって指示され、１６進数フォーマットで表示された。表３乃至表５のシーケンスはそれぞれ、セグメント０〜２に対応することができる。表３乃至表５で、ｂｌｋは、それぞれのシーケンスを構成するサブブロックを表す。
【００５３】
変調シーケンスは、１６進数シーケンスであるＸｉ（ｑ）（Ｘ＝Ａ、Ｂ、Ｃ、Ｄ、Ｅ、Ｆ、Ｇ、Ｈ）を、２個のＱＰＳＫシンボルであるｖ２ｉ（ｑ）及びｖ２ｉ＋１（ｑ）に変換することによって得られる。ここで、ｉは、０乃至８の整数を表し、ｑは、０乃至１２７の整数を表す。数学式５は、Ｘｉ（ｑ）を２個のＱＰＳＫシンボルに変換する例を表す。
【００５４】
【数５】
0005520388.tif 000009
ここで、
【００５５】
【化１】
0005520388.tif 000010
である。上記式によって、２進数００、０１、１０及び１１はそれぞれ、１、ｊ、−１及び−ｊに変換される。しかし、これは一例に過ぎず、Ｘｉ（ｑ）は、類似の他の式を用いてＱＰＳＫシンボルに変換されることができる。
【００５６】
一例として、シーケンスインデックスｑが０である場合、サブブロックＡのシーケンスは、３１４Ｃ８６４８Ｆであり、前記シーケンスは、［＋１−ｊ＋１＋ｊ＋ｊ＋１−ｊ＋１−１＋１＋ｊ−１＋ｊ＋１−１＋１−ｊ−ｊ］のＱＰＳＫ信号に変調される。
【００５７】
一方、それぞれの表に例示された１２８個のシーケンスは、複素共役演算を用いて２倍に拡張されることができる。すなわち、複素共役演算によってさらに１２８個のシーケンスを生成することができ、生成されたシーケンスには、１２８乃至２５５のインデックスが付与されることができる。すなわち、一つのセグメントＩＤに対応するシーケンスインデックスｘのＳＡ−プリアンブルシーケンスは、前記一つのセグメントＩＤに対応するシーケンスインデックスｘ＋１２８のＳＡ−プリアンブルシーケンスと複素共役関係にある。下記の数学式６は、複素共役演算によって母シーケンスから拡張されたシーケンスを表す。
【００５８】
【数６】
0005520388.tif 000011
ここで、ｋは、０乃至ＮＳＡＰ−１の整数を表し、ＮＳＡＰは、ＳＡ−プリアンブルの長さを表し、複素共役演算（・）＊は、ａ＋ｊｂの複素信号をａ−ｊｂの複素信号に変更し、ａ−ｊｂの複素信号をａ＋ｊｂの複素信号に変更する。
【００５９】
【表３−１】
0005520388.tif 000012
【００６０】
【表３−２】
0005520388.tif 000013
【００６１】
【表３−３】
0005520388.tif 000014
【００６２】
【表３−４】
0005520388.tif 000015
【００６３】
【表３−５】
0005520388.tif 000016
【００６４】
【表４−１】
0005520388.tif 000017
【００６５】
【表４−２】
0005520388.tif 000018
【００６６】
【表４−３】
0005520388.tif 000019
【００６７】
【表４−４】
0005520388.tif 000020
【００６８】
【表４−５】
0005520388.tif 000021
【００６９】
【表５−１】
0005520388.tif 000022
【００７０】
【表５−２】
0005520388.tif 000023
【００７１】
【表５−３】
0005520388.tif 000024
【００７２】
【表５−４】
0005520388.tif 000025
【００７３】
【表５−５】
0005520388.tif 000026
上述したように、ＡＢＳ（Ａｄｖａｎｃｅｄ  Ｂａｓｅ  Ｓｔａｔｉｏｎ）から受信したＳＡ−プリアンブルは、セル識別子を獲得するために使用される。すなわち、ＡＭＳ（Ａｄｖａｎｃｅｄ  Ｍｏｂｉｌｅ  Ｓｔａｔｉｏｎ）は、ＡＢＳから受信したＳＡ−プリアンブルシーケンスの自己相関（ａｕｔｏ  ｃｏｒｒｅｌａｔｉｏｎ）または相互相関（ｃｒｏｓｓ  ｃｏｒｒｅｌａｔｉｏｎ）を、前記表３乃至表５のＳＡ−プリアンブルシーケンスの自己相関または相互相関と比較して、一致するシーケンスを検出する。ただし、シーケンスインデックスＸのシーケンスとシーケンスインデックスＸ＋１２８のシーケンスとは複素共役関係にあるので、シーケンスインデックス０であるシーケンスで、自己相関または相互相関を用いて、受信したＳＡ−プリアンブルシーケンスとマッチングするか否かを判断した場合であれば、シーケンスインデックス１２８であるシーケンスは、自己相関または相互相関を用いることなく、受信したＳＡ−プリアンブルシーケンスとマッチングするか否かを判断できる。言い換えると、全てのセル識別子に対応するＳＡ−プリアンブルシーケンスに対して自己相関または相互相関を計算する必要がなく、半分のＳＡ−プリアンブルシーケンスに対してのみ自己相関または相互相関を計算する手順を行って、セル識別子を検出できる。結果的に、端末は、一致するＳＡ−プリアンブルシーケンスからセグメントＩＤ  ｎとシーケンスインデックスｑ値を獲得し、数学式３によってセル識別子を決定する。
【００７４】
複素共役関係にあるシーケンスの自己相関または相互相関を利用しないとしても、表３乃至表５の全てのＳＡ−プリアンブルシーケンスを、ＡＢＳから受信したＳＡ−プリアンブルシーケンスと比較するのは、端末の立場でオーバーヘッドである。また、ＡＭＳが、サービングＡＢＳからターゲットＡＢＳにハンドオーバーするためには、ＡＭＳは、そのターゲットＡＢＳが公用（Ｐｕｂｌｉｃ）ＡＢＳとして接続可能であるか否かを、また、ターゲットＡＢＳが公用ＡＢＳである場合にも、マクロＡＢＳ、マクロホットゾーン（Ｈｏｔ−ｚｏｎｅ）ＡＢＳ、リレーＡＢＳ、ＯＳＧ（Ｏｐｅｎ  Ｓｕｂｓｃｒｉｂｅｒ  Ｇｒｏｕｐ）フェムトＡＢＳのいずれなのかを、また、専用ＡＢＳである場合にも、ＣＳＧ−ｃｌｏｓｅ  ＡＢＳ、ＣＳＧ−ｏｐｅｎ  ＡＢＳのいずれなのかを、知っていなければならない。
【００７５】
したがって、表３乃至表５の全てのＳＡ−プリアンブルシーケンスは、ＡＢＳタイプによって区画化（Ｐａｒｔｉｔｉｏｎｉｎｇ）される必要があり、ＡＭＳは、ターゲットＡＢＳのタイプを認知し、特定区画の各ＳＡ−プリアンブルシーケンスと、受信したＳＡ−プリアンブルシーケンスのみを比較して、セル識別子を獲得できる。
【００７６】
具体的に、各セグメント別に２５６個、総７６８個のＳＡ−プリアンブルシーケンス（またはセル識別子）は、ＡＢＳタイプによって区画化される。この場合、ＡＭＳは、自身が接続しなければならないＡＢＳのタイプを予め知っているので、受信したＳＡ−プリアンブルシーケンスを前記特定区画内に存在するＳＡ−プリアンブルシーケンスと比較して、一致するシーケンスを検出し、これを用いてセル識別子を決定する。
【００７７】
図８は、本発明の実施例に係るＳＡ−プリアンブルシーケンス区画化技法を説明するための図である。
【００７８】
図８を参照すると、表３乃至表５に示された各ＳＡ−プリアンブルシーケンス、またはこれに対応する各セル識別子は、重畳されない複数のサブセットに区画化され、各サブセットは、特定ＡＢＳタイプに専用になって使用される。このようなＳＡ−プリアンブルシーケンス区画化は、事業者の状況によって流動的に変更可能であり、このような区画化情報は、最小限のオーバーヘッドでＡＭＳに伝送される必要がある。
【００７９】
まず、マクロＡＢＳのためのＳＡ−プリアンブルシーケンスまたはセル識別子の個数が、固定されていると仮定すると、ＳＡ−プリアンブルシーケンス区画化は、下記のような２つのステップからなる。
【００８０】
第１ステップとして、参照番号８００のように、公用ＡＢＳのためのＳＡ−プリアンブルシーケンス（またはセル識別子）、及び専用ＡＢＳ、例えば、ＣＳＧ（Ｃｌｏｓｅｄ  Ｓｕｂｓｃｒｉｂｅｒ  Ｇｒｏｕｐ）フェムトＡＢＳのためのＳＡ−プリアンブルシーケンス（またはセル識別子）に区画化される。第１ステップの区画化によって、全てのＡＭＳがターゲットＡＢＳに接近可能であるか否かに関する情報を提供できる。
【００８１】
第２ステップとして、参照番号８５０のように、公用ＡＢＳの種類、例えば、マクロホットゾーン（Ｈｏｔ−ｚｏｎｅ）ＡＢＳ、リレーＡＢＳ、ＯＳＧ（Ｏｐｅｎ  Ｓｕｂｓｃｒｉｂｅｒ  Ｇｒｏｕｐ）フェムトＡＢＳによって、公用ＡＢＳのためのＳＡ−プリアンブルシーケンス区画をより細かく区画化する。同様に、専用ＡＢＳの種類、例えばＣＳＧ−ｃｌｏｓｅ  ＡＢＳとＣＳＧ−ｏｐｅｎ  ＡＢＳによって、専用ＡＢＳのためのＳＡ−プリアンブルシーケンス区画をより細かく区画化する。
【００８２】
この時、公用ＡＢＳと専用ＡＢＳとの境界点、公用ＡＢＳのうちマクロＡＢＳのシーケンスインデックス０〜２５７及び最後のシーケンスインデックス７６７は、既に知っているため、ホットゾーンＡＢＳとリレーＡＢＳとの境界点情報、リレーＡＢＳとＯＳＧ−フェムトＡＢＳとの間の境界点情報、及びＣＳＧ−ｃｌｏｓｅ  ＡＢＳとＣＳＧ−ｏｐｅｎ  ＡＢＳとの間の境界点情報、すなわち、総３個の境界点情報を知らせればよい。このような３個の境界点情報は、ターゲットＡＢＳが、放送情報、例えば、ＭＡＣ（Ｍｅｄｉａ  Ａｃｃｅｓｓ  Ｃｏｎｔｒｏｌ）制御メッセージであるＡＡＩ（Ａｄｖａｎｃｅｄ  Ａｉｒ  Ｉｎｔｅｒｆａｃｅ）＿ＳＣＤ（Ｓｙｓｔｅｍ  Ｃｏｎｆｉｇｕｒａｔｉｏｎ  Ｄｅｓｃｒｉｐｔｏｒ）メッセージを通じて、ＡＭＳに知らせることができる。
【００８３】
本発明では、前記第１ステップの区画化過程についてより詳細に説明する。
【００８４】
セグメント別に公用ＡＢＳのうちマクロＡＢＳのためのＳＡ−プリアンブルシーケンス（またはセル識別子）の個数がＸ個に固定されていると仮定すると、ターゲットＡＢＳは、第１ステップの区画化に関する情報として、ｑが、ＸからｚまではマクロＡＢＳを除外した残りの公用（Ｐｕｂｌｉｃ）ＡＢＳに対応し、ｚ乃至２５５までは、ＣＳＧ（ｃｌｏｓｅｄ  Ｓｕｂｓｃｒｉｂｅｒ  Ｇｒｏｕｐ）フェムトＡＢＳに対応するという情報をＡＭＳに提供できる。
【００８５】
本発明で、ターゲットＡＢＳは、ＡＭＳに、表３乃至表５で、公用ＡＢＳのためのＳＡ−プリアンブルシーケンス（またはセル識別子）と専用ＡＢＳのためのＳＡ−プリアンブルシーケンス（またはセル識別子）との境界点ｚに関する情報を、Ｓ−ＳＦＨ  ＳＰ３（Ｓｅｃｏｎｄａｒｙ−Ｓｕｐｅｒ  Ｆｒａｍｅ  Ｈｅａｄｅｒ  ＳｕｂＰａｃｋｅｔ３）に含まれる４ビット情報を用いて放送する。ここで、前記４ビット情報は、Ｓ−ＳＦＨ  ＳＰ３のＳＡ−プリアンブルシーケンスソフト区画化情報（ＳＡ−Ｐｒｅａｍｂｌｅ  ｓｅｑｕｅｎｃｅ  ｓｏｆｔ  ｐａｒｔｉｔｉｏｎｉｎｇ  ｉｎｆｏｒｍａｔｉｏｎ）フィールドを意味する。
【００８６】
Ｓ−ＳＦＨ  ＳＰ３を通じて放送されるｚ値、すなわち、どのＳＡ−プリアンブルシーケンス（またはセル識別子）までが公用ＡＢＳのためのシーケンスなのか、その境界点を知らせることができる。この時、公用ＡＢＳのうち予め占有されるマクロＡＢＳに対応するＳＡ−プリアンブルシーケンスの個数によって、その境界点が位置できる範囲のグラニュラリティ（ｇｒａｎｕｌａｒｉｔｙ）が決まることができる。全体のＳＡ−プリアンブルシーケンスまたは全体のセル識別子の個数が、７６８個で、これを３個のセグメントセットに分けて適用する場合（Ｒｅｕｓｅ−３）、各セグメント別に２５６個ずつのＳＡ−プリアンブルシーケンスまたはセル識別子が存在する。
【００８７】
一方、セル識別子とＳＡ−プリアンブルシーケンスは、数学式３のように、一つのセル識別子と一つのＳＡ−プリアンブルシーケンスが対応し、これに隣接したセル識別子は、前記一つのＳＡ−プリアンブルシーケンスと複素共役関係である他のＳＡ−プリアンブルシーケンスに対応する。例えば、隣接したセル識別子０と１は、それぞれＳＡ−プリアンブルシーケンスインデックス（ｑ）０及び１２８に対応する。また、隣接したセル識別子２と３は、それぞれＳＡ−プリアンブルシーケンスインデックス（ｑ）１及び１２９に対応し、隣接したセル識別子２５４と２５５は、それぞれＳＡ−プリアンブルシーケンスインデックス（ｑ）１２７及び２５５に対応する。
【００８８】
このような場合、シーケンス検出の複雑度を減少させるために、ＡＭＳは、ＳＡ−プリアンブル母シーケンスと、これと複素共役関係にあるＳＡ−プリアンブルシーケンスとをペアにし、受信したＳＡ−プリアンブルシーケンスと比較することが望ましい。したがって、区画化されるＳＡ−プリアンブルシーケンスは、全体７６８個のシーケンスで、６（３＊２）の倍数の範囲でグラニュラリティを設定することが望ましい。すなわち、各セグメントを基準として、２５６個のシーケンスで、２の倍数の範囲でグラニュラリティを設定しなければならない。また、連続的な数字を区画化することが複雑度を減少させる方法の一つであるので、以下では、セル識別子を基準として区画化することが望ましい。
【００８９】
本発明では、説明の便宜のために、公用ＡＢＳうちマクロＡＢＳのために、総２５８個、セグメント別に２５８／３＝８６個のマクロＡＢＳのためのＳＡ−プリアンブルシーケンスまたはセル識別子が占有されているものと仮定する。したがって、マクロＡＢＳを除外した残りのＡＢＳのためのＳＡ−プリアンブルシーケンスまたはセル識別子の個数は、５１０（７６８−２５８）個が存在し、これを特定グラニュラリティの範囲で、境界点位置を知らせることができる。
【００９０】
もし、ＳＦＨ  ＳＰ３において４ビットで境界点情報を知らせるとしたら、総１６個の境界点の場合の数が存在することができる。前記５１０個のＳＡ−プリアンブルシーケンス（またはセル識別子）は、３０個のシーケンス（またはセル識別子）、各セグメント当たり１０個のシーケンス（またはセル識別子）でグラニュラリティを設定できる。これに基づいて、セル識別子またはＳＡ−プリアンブルシーケンスを区画化した例を、下記の表６に例示した。
【００９１】
【表６】
0005520388.tif 000027
表６で、ｎは、セグメントＩＤを表す。ＳＦＨ  ＳＰ３に含まれた４ビット情報それぞれに対応する公用ＡＢＳに対応するセル識別子の範囲と、専用ＡＢＳに対応するセル識別子の範囲を表す。
【００９２】
例えば、ＳＦＨ  ＳＰ３を通じて‘００００’という情報を受信した場合、ＡＭＳは、公用ＡＢＳに対応するセル識別子は、セグメント０のセル識別子８６から９５まで、セグメント１のセル識別子３４２から３５１まで、及びセグメント２のセル識別子５９８から６０７までであることが分かる。
【００９３】
同様に、ＳＦＨ  ＳＰ３を通じて‘１０１１’という情報を受信した場合、ＡＭＳは、公用ＡＢＳに対応するセル識別子は、セグメント０のセル識別子８６から２０５まで、セグメント１のセル識別子３４２から４６１まで、及びセグメント２のセル識別子５９８から７１７までであることが分かる。
【００９４】
一方、表６による場合、マクロセルを除外した全ての場合が専用ＡＢＳ、または全ての場合が公用ＡＢＳであるならば、セル識別子が浪費されるという問題点が発生し得る。例えば、マクロセルを除外した全ての場合が専用ＡＢＳであるならば、ＳＦＨ  ＳＰ３を通じて‘００００’という情報を受信しても、マクロセルを除外した公用ＡＢＳに対応する識別子が、セグメント別に１０個ずつ割り当てられていることが分かる。
【００９５】
下記の表７は、全ての場合が公用ＡＢＳである場合、またはマクロセルを除外した全ての場合が専用ＡＢＳである場合を支援するために、セグメント当たり２０個のシーケンスのグラニュラリティを一部の場合に適用した例である。
【００９６】
【表７】
0005520388.tif 000028
表７を参照すると、ＳＦＨ  ＳＰ３を通じて‘００００’という情報を受信した場合、ＡＭＳは、マクロセルに対応するセル識別子を除外した全てのセル識別子が、専用ＡＢＳに対応するセル識別子であることが分かる。また、ＳＦＨ  ＳＰ３を通じて‘１１１１’という情報を受信した場合、ＡＭＳは、全てのセル識別子が公用ＡＢＳに対応するセル識別子であることが分かる。
【００９７】
前記第２ステップの区画化過程も第１ステップと同様に、３０個のシーケンス（またはセル識別子）、各セグメント当たり１０個のシーケンス（またはセル識別子）でグラニュラリティを設定して、境界点位置を知らせることができる。ただし、第１ステップは、１個の境界点情報のみを知らせることで十分であるが、第２ステップは、上述したように、最大３個の境界点情報をＡＭＳに知らせなければならない。
【００９８】
図９は、本発明の一実施例による送信機及び受信機のブロック図である。ダウンリンクにおいて、送信機９１０は基地局の一部であり、受信機９５０は端末の一部である。アップリンクにおいて、送信機９１０は端末の一部であり、受信機９５０は基地局の一部である。
【００９９】
送信機９１０において、プロセッサ９２０は、データ（例、トラフィックデータ及びシグナリング）をエンコーディング、インターリービング及びシンボルマッピングして、データシンボルを生成する。また、プロセッサ９２０は、パイロットシンボルを生成して、各データシンボル及びパイロットシンボルを多重化する。
【０１００】
変調器９３０は、無線接続方式によって伝送シンボルを生成する。無線接続方式は、ＦＤＭＡ、ＴＤＭＡ、ＣＤＭＡ、ＳＣ−ＦＤＭＡ、ＭＣ−ＦＤＭＡ、ＯＦＤＭＡまたはこれらの組み合わせを含む。また、変調器９３０は、本発明の実施例で例示した多様なパーミュテーション方法を用いて、データが周波数領域で分散されて伝送され得るようにする。無線周波数（Ｒａｄｉｏ  Ｆｒｅｑｕｅｎｃｙ；ＲＦ）モジュール９３２は、前記伝送シンボルを処理（例、アナログ変換、増幅、フィルタリング及び周波数アップコンバージョン）してアンテナ９３４を通じて伝送されるＲＦ信号を生成する。
【０１０１】
受信機９５０において、アンテナ９５２は、送信機９１０から伝送される信号を受信して、ＲＦモジュール９５４に提供する。ＲＦモジュール９５４は、受信した信号を処理（例、フィルタリング、増幅、周波数ダウンコンバージョン、デジタル化）して入力サンプルを提供する。
【０１０２】
復調器９６０は、各入力サンプルを復調してデータ値及びパイロット値を提供する。チャネル推定器９８０は、受信したパイロット値に基づいてチャネル推定値を誘導する。また、復調器９６０は、チャネル推定値を用いて受信した各データ値にデータ検出（または等化）を行い、送信機９１０のためのデータシンボル推定値を提供する。また、復調器９６０は、本発明の実施例で例示した多様なパーミュテーション方法と逆の動作を行うことで、周波数領域及び時間領域で分散しているデータを、元の順序に再整列させることができる。プロセッサ９７０は、データシンボル推定値をシンボルデマッピング、デインターリービング及びデコーディングし、デコーディングされたデータを提供する。
【０１０３】
一般的に、受信機９５０において、復調器９６０及びプロセッサ９７０による処理は、送信機９１０においてそれぞれ、変調器９３０及びプロセッサ９２０による処理と相互補完される。
【０１０４】
制御器９４０及び９９０はそれぞれ、送信機９１０及び受信機９５０に存在する様々な処理モジュールの動作を監督及び制御する。メモリー９４２及び９９２はそれぞれ、送信機９１０及び受信機９５０のためのプログラムコード及びデータを格納する。
【０１０５】
図９で例示したモジュールは説明のためのもので、送信機及び／または受信機は必要なモジュールをさらに含むことができ、一部モジュール／機能は省略されたり、互いに異なるモジュールに分離されたり、２つ以上のモジュールが一つのモジュールに統合されたりすることができる。
【０１０６】
以上説明した実施例は、本発明の構成要素及び特徴を所定の形態として結合したものである。各構成要素または特徴は、別途の明示的な言及がない限り、選択的なものとして考慮しなければならない。各構成要素または特徴は、他の構成要素や特徴と結合しない形態として実施することができる。また、一部の構成要素及び／または特徴を結合して本発明の実施例を構成することもできる。本発明の実施例で説明される動作の順序は変更可能である。ある実施例の一部構成や特徴は、他の実施例に含まれることもでき、または、他の実施例の対応する構成または特徴に取って代わることもできる。特許請求の範囲で明示的な引用関係を有しない請求項を結合して実施例を構成したり、出願後の補正によって新しい請求項として含めることもできることは自明である。
【０１０７】
本文書において、本発明の実施例は、主に端末と基地局間のデータ送受信関係を中心に説明された。本文書で、基地局によって行われると説明された特定動作は、場合によっては、その上位ノード（ｕｐｐｅｒ  ｎｏｄｅ）によって行われることができる。すなわち、基地局を含む複数のネットワークノード（ｎｅｔｗｏｒｋ  ｎｏｄｅｓ）からなるネットワークで端末との通信のために行われる多様な動作は、基地局または基地局以外の他のネットワークノードによって行われることができることは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１０８】
本発明に係る実施例は、多様な手段、例えば、ハードウェア、ファームウェア（ｆｉｒｍｗａｒｅ）、ソフトウェアまたはそれらの結合などによって具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどによって具現することができる。
【０１０９】
ファームウェアやソフトウェアによる具現の場合、本発明の一実施例は、以上で説明された機能または各動作を行うモジュール、手順または関数などの形態で具現することができる。ソフトウェアコードはメモリーユニットに格納されてプロセッサによって駆動されることができる。前記メモリーユニットは、前記プロセッサの内部または外部に位置し、既に公知の様々な手段によってプロセッサとデータを交換することができる。
【０１１０】
本発明は、本発明の特徴を逸脱しない範囲で他の特定の形態で具体化できるのは当業者には自明である。したがって、上記の詳細な説明は、いずれの面においても制約的に解釈してはならず、例示的なものとして考慮しなければならない。本発明の範囲は、添付の請求項の合理的な解釈によって決定しなければならず、本発明の等価的範囲内での全ての変更は本発明の範囲に含まれる。
【産業上の利用可能性】
【０１１１】
本発明は、無線通信システムに適用され得る。具体的に、本発明は、セルラーシステムのために使用される無線移動通信装置に適用され得る。
【図１】
0005520388.tif 000029
【図６】
0005520388.tif 000030
【図２】
0005520388.tif 000031
【図３】
0005520388.tif 000032
【図４】
0005520388.tif 000033
【図５】
0005520388.tif 000034
【図７】
0005520388.tif 000035
【図８】
0005520388.tif 000036
【図９】
0005520388.tif 000037